(57)【要約】 【課題】 遊技球が発射レールに待機している状態で発射装置を停止させた場合に、前記発射レールに無用球が供給されて、２個打ちが発生することを防止する。【解決手段】 発射装置Ａ1 を２個打ち発生範囲で停止させた場合に、槌３に取付けられた引張りばね６の弾性復元力によって逆転させられるモータカム２が、無用球供給開始位置Ｐ4 から発射開始位置Ｐ3 の間で停止す るように、前記モータカム２のボス部分２ｂに爪体１５を取付けると共に、該爪体１５に係合される逆転防止ストッパ１６を設ける。【選択図】    図２
2010099511.tif 000002
【特許請求の範囲】
【請求項１】
モータカムの連続回転により、槌が弾発回動して球を発射させる発射装置と、
該発射装置の槌の回動に連動し、発射直後の発射レールに球を１個ずつ供給するための球供給装置とを備えた遊技機であって、
前記モータカムが、球供給準備開始位置から発射開始位置の間に位置している状態において発射装置を停止させて、該モータカムの逆転により、球供給装置から無用球が発射レールに供給されることを防止するために、 
設定角度を超えてモータカムが逆転することを防止する逆転防止装置を、前記発射装置の駆動軸に設けたことを特徴とする遊技機。
【請求項２】
モータカムの連続回転により、槌が弾発回動して球を発射させる発射装置と、
該発射装置の槌の回動に連動し、発射直後の発射レールに球を１個ずつ供給するための球供給装置とを備えた遊技機であって、
前記発射装置の駆動軸の駆動トルクよりも小さく、槌がモータカムを逆転させるトルクよりも大きなブレーキトルクを有するブレーキシューを、該発射装置の駆動軸に設けたことを特徴とする遊技機。
【発明の詳細な説明】
【技術分野】
【０００１】
本発明は、発射レールに遊技球が供給された状態で、無用球が発射レールに供給されることを防止した遊技機に関するものである。
【背景技術】
【０００２】
従来の技術を説明するに当たり、本発明の図面を使用して説明する。図２に示されるように、遊技機の背面側には、発射装置Ａ’と球供給装置Ｂとが配設されている。なお、図３、図５ないし図７は、遊技機の発射装置Ａ’及び球供給装置Ｂを背面側から見たときの状態を示している。そして、背面視において、各部材が時計回りの方向に回転することを「正転」と記載する。図２及び図３に示されるように、発射モータ１のモータ軸１ａ（図３参照）に雲形状のモータカム２が装着されている。該モータカム２の正転時において、そのカム面の終端部分２ａがモータ軸１ａのほぼ直下に配置されたときのモータカム２の位置を、基準位置Ｐ0 と定義する。このとき、モータカム２の回転角度は０°である。前記モータカム２に近接して、槌３が配設されている。この槌３は、発射レール４に待機している遊技球Ｒを打って発射させるためのものである。そして、モータカム２が回転すると、そのカム面と前記槌３に取付けられたローラ５とが当接する。このため、モータカム２が連続回転することにより、該槌３が、回動支点Ｃ1 を中心に連続して往復回動する。この槌３には、遊技球Ｒを打つ方向に付勢する引張りばね６が取付けられていて、該槌３は、前記引張りばね６の作用により弾発回動する。
【０００３】
図３に示されるように、前記発射レール４に待機している遊技球Ｒは、隣接する球供給カセット７に取付けられた球供給レール８から供給される。即ち、前記球供給レール８に配置された多数の球Ｒ’が、球供給片９のストッパ部９ａに当接してせき止められている。そして、前記球供給片９の作用（後述）により、最前の球Ｒ’が、球供給カセット７の供給口７ａから発射レール４に供給される。なお、図１において、１１は、発射レール４に供給された遊技球Ｒを落下させないようにするための落下防止ストッパであり、１２は、操作ハンドルである。
【０００４】
図３及び図４に示されるように、モータカム２が正転し、その回転角度θ1 が当接開始位置Ｐ1 （約１４．２°）に達すると、前記モータカム２と槌３のローラ５とが当接し、前記槌３が、引張りばね６の 弾性復元力に抗して反時計回りに回動する。その状態のモータカム２を、図３において二点鎖線で示す。更にモータカム２が正転すると、図４に示されるように、槌３に取付けられた球供給針金１３によって、球供給アーム１４が、その回動支点Ｃ2 を中心に時計回りに回動する。その結果、該球供給アーム１４の重り押し片１４ａが、直上方に配設された球供給片９の重り９ｂを押し上げるため、前記球供給片９が、その回動支点Ｃ3 を中心に時計回りに回動する。
【０００５】
図４及び図５に示されるように、モータカム２の回転角度θ2 が球供給準備開始位置Ｐ2 （約２００．９°）に達すると、球供給片９のストッパ部９ａが更に降下して球Ｒ’との当接が解放され、球供給レール８に配置されている最前の球Ｒ’が、前記球供給片９の球受け部９ｃに進入して、保持される。槌３は、引張りばね６の弾性復元力に抗して、引き続いて、発射レール４の遊技球Ｒから離隔される方向（反時計回り）に回動する。このように、球供給装置Ｂは、発射装置Ａ’と連動して作動する。
【０００６】
図４及び図６に示されるように、モータカム２の回転角度θ3 が、遊技球Ｒの発射開始位置Ｐ3 （約２９０．３°）を超えると、モータカム２と槌３のローラ５との当接が解放され、該槌３は引張りばね６の弾性復元力によって時計回りに急速に弾発回動し、発射レール４に待機されている遊技球Ｒが打たれる。同時に、球供給針金１３が、槌３と共に時計回りに回動する。このため、球供給アーム１４が、その回動支点Ｃ2 を中心に反時計回りに回動すると共に、球供給片９が、その回動支点Ｃ3 を中心に反時計回りに回動する。前記球供給片９は、前記槌３よりも僅かに遅れて回動する。
【０００７】
このときの球供給片９の作用について説明する。上記したように、モータカム２の回転角度θ3 が、発射開始位置Ｐ3 を超えている場合、発射レール４には遊技球Ｒが待機していると共に、球供給片９の球受け部９ｃには球Ｒ’が保持されている。図８及び図９に示されるように、球供給片９の球受け部９ｃは、球供給カセット７の供給口７ａの側に向かって傾斜されている。前記球受け部９ｃが、球Ｒ’を保持した状態で降下している場合、球Ｒ’は、供給口７ａにおける球供給カセット７の下側の衝立面７ｂの上縁部に当接している。このため、球Ｒ’が球受け部９ｃに保持される。球供給片９が反時計回りに回動し、前記球受け部９ｃが上昇すると、球Ｒ’と衝立面７ｂの上縁部との当接が解放される。球受け部９ｃが傾斜しているため、該球Ｒ’は転動して発射レール４に供給される。そして、該球Ｒ’が、次の遊技球Ｒとなって待機する。モータカム２が１回転して基準位置Ｐ0 に達すると、再び上記した作用が繰り返され、遊技球Ｒが連続して打たれる。
【０００８】
従来の発射装置Ａ’の場合、遊技者が発射装置Ａ’を停止させると、発射モータ１のモータ軸１ａの回転が停止する。ここで、図４に示されるように、モータカム２の回転角度が、球供給準備開始位置Ｐ2 から発射開始位置Ｐ3 の間（２個打ち発生範囲）にあるときに停止させた場合、槌３は、引張りばね６の弾性復元力により、回動支点Ｃ1 を中心に時計回りに回動する。モータカム２にはいっさいのトルクが作用していないため、図７に示されるように、槌３の回動に従ってモータカム２が逆転させられる。同時に、球供給針金１３及び球供給アーム１４を介して球供給片９が反時計回りに回動し、その球受け部９ｃが上昇する。逆転するモータカム２の回転角度θ4 が、無用球供給開始位置Ｐ4 （約４７．２°）に達すると、前記球受け部９ｃに保持されていた球Ｒ’が、発射レール４に供給される。モータカム２はそのまま逆転し、当接開始位置Ｐ1 を超えた位置で停止する。
【０００９】
前記発射レール４には、既に遊技球Ｒが待機しているため、更に球Ｒ’が供給されることによって、該発射レール４には２個の遊技球Ｒが配置される。このように、モータカム２が逆転させられる際に、発射レール４に既に遊技球Ｒが待機しているのにもかかわらず、更に供給される球Ｒ’を「無用球」と定義する。この状態で、遊技者が遊技を再開すると、２個の遊技球Ｒが一度に打たれる現象（２個打ち）が発生する。
【発明の概要】
【発明が解決しようとする課題】
【００１０】
本発明は、上記した不具合に鑑み、遊技者がいかなる状態で発射装置を停止させても、発射レールに２個の遊技球が供給されないようにして、２個打ちを防止することを課題としている。
【課題を解決するための手段】
【００１１】
上記課題を解決するための第１の発明は、モータカムの連続回転により、槌が弾発回動して球を発射させる発射装置と、該発射装置の槌の回動に連動し、発射直後の発射レールに球を１個ずつ供給するための球供給装 
置とを備えた遊技機であって、前記モータカムが、球供給準備開始位置から発射開始位置の間に位置している状態において発射装置を停止させて、該モータカムの逆転により、球供給装置から無用球が発射レールに供給 
されることを防止するために、設定角度を超えてモータカムが逆転することを防止する逆転防止装置を、前記発射装置の駆動軸に設けたことを特徴としている。
【００１２】
同じく第２の発明は、モータカムの連続回転により、槌が弾発回動して球を発射させる発射装置と、該発射装置の槌の回動に連動し、発射直後の発射レールに球を１個ずつ供給するための球供給装置とを備 えた遊技機であって、前記発射装置の駆動軸の駆動トルクよりも小さく、槌がモータカムを逆転させるトルクよりも大きなブレーキトルクを有するブレーキシューを、該発射装置の駆動軸に設けたことを特徴としている 。
【００１３】
遊技中、発射装置が停止されない場合の作用は、従来の場合とまったく同様である。遊技者が、遊技中に発射装置を停止させると、その駆動軸が停止する。このとき、モータカムと槌のローラとが当接している場合、モータカムが逆転させられる。そして、モータカムが、球供給準備開始位置から発射開始位置の間に配置されている状態で発射装置を停止させた場合、前記モータカムが逆転するのに従い、発射レールに球を供給するための準備が開始される。
【００１４】
第１の発明の場合、発射装置の駆動軸には、モータカムが設定角度を超えて逆転することを防止するための逆転防止装置が設けられている。この設定角度は、モータカムの逆転時において、球供給装置が無用球の供給を開始する角度よりも大きな角度である。このため、発射レールに無用球が供給されることが防止される。モータカムが、設定角度から球供給準備開始位置の間に配置されている状態で発射装置を停止させた場合であっても、上記した逆転防止装置の作用により、モータカムは設定角度で停止する。この状態で、遊技者が遊技を再開すると、モータカムは停止位置から正転し、槌が弾発回動して発射レールの遊技球が打たれる。
【００１５】
第２の発明の場合、発射装置の駆動軸にはブレーキシューが設けられていて、通常の回転時においては、該駆動軸はブレーキシューのブレーキトルクに抗して回転する。そして、このブレーキシューのブレーキトルクは、槌がモータカムを逆回転させるトルクよりも大きい。このため、発射装置を停止させると、該モータカムはその位置で停止し、第１の発明と同様にして、無用球が発射レールに供給されることはない。この状態で、遊技者が遊技を再開すると、モータカムは停止位置から正転し、槌が弾発回動して発射レールの遊技球が打たれる。
【発明の効果】
【００１６】
第１の発明に係る遊技機は、モータカムが球供給準備開始位置から発射開始位置の間（２個打ち発生範囲）に位置している状態で、遊技者が発射装置を停止させても、該モータカムが設定角度を超えて逆転させられる 
ことが防止される。また、第２の発明では、前記モータカムがその位置で停止する。上記した結果、いずれの発明においても、遊技者が、いかなる位置で発射装置を停止させても、無用球が発射レールに供給されることがない。このため、発射レールに２個の遊技球が供給されることがなく、２個打ちが防止される。この結果、遊技者が途中で発射装置を停止させ、その状態から遊技を再開する場合であっても、スムーズに遊技を再開することができる。
【図面の簡単な説明】
【００１７】
【図１】第１の発明の実施例の発射装置Ａ1 及び球供給装置Ｂの正面図である。
【図２】図１の背面側からの分解斜視図である。
【図３】モータカム２が、基準位置Ｐ0 及び当接開始位置Ｐ1 に存する状態の発射装置Ａ1 及び球供給装置Ｂの背面図である。
【図４】モータカム２の位相を示す図である。
【図５】モータカム２が、球供給準備開始位置Ｐ2 に存する状態の発射装置Ａ1 及び球供給装置Ｂの背面図である。
【図６】モータカム２が、遊技球Ｒの発射開始位置Ｐ3 に存する状態の発射装置Ａ1 及び球供給装置Ｂの背面図である。
【図７】球供給片９の球受け部９ｃに、球Ｒ’が保持されている状態を示す図である。
【図８】球供給片９の球受け部９ｃが上昇し、球Ｒ’が発射レール４に供給される状態を示す図である。
【図９】モータカム２が、無用球供給開始位置Ｐ4 に存する状態の発射装置Ａ1 及び球供給装置Ｂの背面図である。
【図１０】爪体１５と逆転防止ストッパ１６とが係合して、モータカム２が停止した状態の発射装置Ａ1 及び球供給装置Ｂの背面図である。
【図１１】第２の発明の実施例の発射装置Ａ2 の背面図である。
【図１２】第１の発明の実施例の発射装置Ａ1 において、モータカム２がギア１８，１９を介して駆動される場合の側面図である。
【図１３】図１２のＸ方向の矢視図である。
【発明を実施するための形態】
【００１８】
以下、実施例を挙げて本発明を更に詳細に説明する。図１は第１の発明の実施例の発射装置Ａ1 及び球供給装置Ｂの正面図、図２は図１の背面側からの分解斜視図、図３はモータカム２が、基準位置Ｐ0 及び当接開始位置Ｐ1 に存する状態の発射装置Ａ1 及び球供給装置Ｂの背面図、図４はモータカム２の位相を示す図である。本発明の実施例を説明するに当たり、従来の技術で説明した部材と同一の部材には同一の番号を付して、異なる部分についてのみ説明する。最初に、第１の発明の実施例の発射装置Ａ1 について説明する。図１ないし図３に示されるように、この発射装置Ａ1 には逆転防止装置Ｄ（後述）が取付けられている。そして、前記モータカム２の近傍には、発射レール４に供給された遊技球Ｒを打つための槌３が、回動可能にして配設されている。発射装置Ａ1 の上方には、球供給装置Ｂが配設されており、該球供給装置Ｂは、前記発射装置Ａ1 に連動して作動する。
【００１９】
最初に、逆転防止装置Ｄについて説明する。図２及び図３に示されるように、発射装置Ａ1 を構成する発射モータ１のモータ軸１ａには、モータカム２が装着されていて、そのボス部分２ｂには爪体１５が取付けられている。そして、該モータカム２の側方部分には、前記爪体１５に係合される逆転防止ストッパ１６が配設されている。この逆転防止ストッパ１６は、その回動支点Ｃ4 を中心として回動自在に取付けられていると共に、その先端の爪部１６ａが、常にモータ軸１ａのボス部分２ｂに当接している。モータカム２が正転する場合、前記爪体１５は、逆転防止ストッパ１６の爪部１６ａを押し上げるのみであるため、該モータカム２は通常の回転が行われる。しかし、遊技中に発射装置Ａ1 が停止されて、前記モータカム２が逆転させられた場合、図１０に示されるように、前記爪体１５と逆転防止ストッパ１６の爪部１６ａとが係合するため、前記モータカム２が停止される。この爪体１５は、図４に示されるように、モータカム２が逆転させられたときに、該モータカム２が、無用球供給開始位置Ｐ4 から発射開始位置Ｐ3 の間の設定位置Ｐ5 で停止される。本実施例の場合、設定位置Ｐ5 におけるモータカム２の回転角度θ5 （設定角度）は、約７５°である。こうすることにより、モータカム２が無用球供給開始位置Ｐ4 を超えて逆転させられることが防止され、球供給片９の球受け部９ｃに保持された球Ｒ’（無用球）が、発射レール４に供給されることはない。
【００２０】
次に、図４を参照しながら、第１の発明の実施例の発射装置Ａ1 の作用について説明する。発射装置Ａ1 を停止させない場合の作用は、従来の発射装置Ａ’の場合とまったく同様である。即ち、図３ないし図６に示されるように、連続回転するモータカム２と槌３のローラ５とが当接し、該槌３が引張りばね６の弾性復元力に抗して反時計回りに回動する。モータカム２の回転角度が、球供給準備開始位置Ｐ2 （約２００．９°）に達すると、球供給レール８に配置されている球Ｒ’が、球供給片９の球受け部９ｃに進入して、保持される。更にモータカム２が回転し、その回転角度が発射開始位置Ｐ3 （約２９０．３°）を超えると、モータカム２とローラ５との当接が解放され、槌３が時計回りに急速に弾発回動し、発射レール４に待機している遊技球Ｒ が打たれる。そして、その直後に、球供給片９の球受け部９ｃに保持されている球Ｒ’が発射レール４に供給され、次の遊技球Ｒとなって待機する。
【００２１】
次に、発射装置Ａ1 を、２個打ち発生範囲（球供給準備開始位置Ｐ2 から発射開始位置Ｐ3 の間）で停止させた場合について説明する。この場合、槌３に取付けられた引張りばね６の弾性復元力により、モータカム２が逆転させられる。そして、球供給片９の球受け部９ｃには、既に球Ｒ’が進入して、保持されている。本実施例の発射装置Ａ1 の発射モータ１のモータ軸１ａには、逆転させられるモータカム２を無用球供給開始位置Ｐ4 から発射開始位置Ｐ3 の間の設定位置Ｐ5 で停止させるための爪体１５が取付けられていると共に、該爪体１５を係合するための逆転防止ストッパ１６が設けられている。このため、逆転させられるモータカム２の回転角度が、無用球供給開始位置Ｐ4 を超える前に、爪体１５と逆転防止ストッパ１６の爪部１６ａとが係合され、前記モータカム２が逆転防止状態で停止する。この結果、球供給片９の球受け部９ｃに進入して保持されている球Ｒ’（無用球）が発射レール４に供給されることはない。
【００２２】
この状態で、遊技者が遊技を再開すると、発射モータ１が作動し、モータカム２は停止位置から正転する。モータカム２の回転角度が球供給準備開始位置Ｐ2を超えても、球供給片９の球受け部９ｃには球Ｒ’が保持されているため、球供給レール８の球Ｒ’が、前記球受け部９ｃに進入することはない。
【００２３】
更にモータカム２が正転し、その回転角度が発射開始位置Ｐ3 を超えると、該モータカム２と槌３のローラ５との当接が解放され、引張りばね６の弾性復元力によって槌３が時計回りに急速に弾発回動し、 発射レール４に待機している遊技球Ｒが打たれる。
【００２４】
発射装置Ａ1 を、設定位置Ｐ5 から球供給準備開始位置Ｐ2 の間で停止させた場合、球供給片９の球受け部９ｃには球Ｒ’が保持されていないため、該球Ｒ’（無用球）が発射レール４に供給されることは ない。
そして、この場合にも、逆転させられるモータカム２は、上記した設定位置Ｐ5 で停止する。
【００２５】
次に、第２の発明について説明する。図１１に示されるように、この発明の実施例の発射装置Ａ2 を構成する発射モータ１のモータ軸１ａの外周面には、ブレーキシュー１７が取付けられている。そして、該モータ軸１ａの回転トルクは、前記ブレーキシュー１７のブレーキトルクよりも大きくなるように設定されている。しかも、このブレーキシュー１７のブレーキトルクは、槌３に取付けられた引張りばね６の弾性復元力がモータカム２を逆転させるトルクよりも大きくなるように設定されている。モータカム２の通常の回転時には、前記モータ軸１ａはブレーキシュー１７のブレーキトルクに抗して回転する。このため、発射モータ１が連続回転している場合の作用は、第１の発明の場合と全く同様である。
【００２６】
発射装置Ａ2 を停止させると、発射モータ１のモータ軸１ａが停止する。ブレーキシュー１７のブレーキトルクは、槌３に取付けられた引張りばね６の弾性復元力がモータカム２を逆転させるトルクよりも大きい。このため、発射装置Ａ2を停止させると、モータカム２はその位置で停止する。球供給装置Ｂは発射装置Ａ2 と連動しているため、該球供給装置Ｂの作動がその位置で停止し、球Ｒ’（無用球）が発射レール４に供給されることはない。この状態で、遊技者が遊技を再開すると、モータカム２は停止位置から正転し、槌３が弾発回動して、発射レール４に待機している遊技球Ｒが打たれる。
【００２７】
第１の発明の場合、逆転させられるモータカム２が停止する位置（設定位置Ｐ5 ）は、無用球供給開始位置Ｐ4 から発射開始位置Ｐ3 の間であれば、どの位置であっても構わない。しかし、前記設定位置Ｐ5 が無用球供給開始位置Ｐ4 に近い程、遊技者が遊技を再開するときの操作ハンドル１２（図１参照）の操作を、違和感なく行うことができるという利点がある。
【００２８】
そして、第１の発明の実施例の発射装置Ａ1 において、逆転防止装置Ｄが設けられることとなる駆動軸はモータ軸１ａであってもよく、モータカム２、或いはその一部（例えば、ボス部分２ｂ）であっても よい。また、図１２及び図１３に示されるように、モータカム２がギア１８，１９、及びモータカム軸２１を介して駆動していて、モータ軸１ａとモータカム軸２１とが同一軸心上にない伝達機構の場合、逆転防止装置Ｄが当該伝達機構上のどの部分に設けられていても構わない。
【符号の説明】
【００２９】
Ａ1,Ａ2 ：発射装置
Ｂ：球供給装置
Ｄ：逆転防止装置
Ｐ2 ：球供給準備開始位置
Ｐ3 ：発射開始位置
Ｐ5 ：設定位置（設定角度）
Ｒ：遊技球
Ｒ’：球（無用球）
１ａ：モータ軸（駆動軸）
２：モータカム
２ｂ：ボス部分（駆動軸）
３：槌
４：発射レール
６：引張りばね（モータカムを逆転させるトルク）
１５：爪体（逆転防止装置）
１６：逆転防止ストッパ（逆転防止装置）
１７：ブレーキシュー
【図１】
2010099511.tif 000003
【図２】
2010099511.tif 000004
【図３】
2010099511.tif 000005
【図４】
2010099511.tif 000006
【図５】
2010099511.tif 000007
【図６】
2010099511.tif 000008
【図７】
2010099511.tif 000009
【図８】
2010099511.tif 000010
【図９】
2010099511.tif 000011
【図１０】
2010099511.tif 000012
【図１１】
2010099511.tif 000013
【図１２】
2010099511.tif 000014
【図１３】
2010099511.tif 000015